(57)【要約】【課題】印刷におけるドットゲイン特性を変更したときの再現をシミュレーションするための簡便で汎用性の高いシミュレーション方法を提供する。【解決手段】  目標ドットゲイン特性を指定する工程と、前記目標ドットゲイン特性から各原色値と濃度の関係を求める目標濃度特性算出工程と、印刷物を測定し各原色値と濃度の関係を求める印刷物濃度特性算出工程と、前記目標濃度特性と前記印刷物濃度特性に基づいて印刷物プロファイル内の１次元 ＬＵＴを補正する印刷物プロファイル補正工程と、前記補正済み印刷物プロファイルをソースプロファイルとして画像及びページレイアウトデータを色変換する色変換工程と、前記色変換済みを画像及びページレイアウトデータをカラー画像出力装置あるいはカラー画像表示装置に出力する工程とを有するようにした印刷物シミュレーション方法。【選択図】  図１
2006128760.tif 000002
【特許請求の範囲】
【請求項１】
印刷物プロファイル内の入力１次元 ＬＵＴを、ドットゲイン特性に応じて変化させることによって、ドットゲイン特性の変化による印刷物の色再現特性の変化をシミュレーションする方法であって、
目標ドットゲイン特性を指定する工程と、
前記目標ドットゲイン特性から各原色値と濃度の関係を求める目標濃度特性算出工程と、
印刷物を測定し各原色値と濃度の関係を求める印刷物濃度特性算出工程と、
前記目標濃度特性と前記印刷物濃度特性に基づいて印刷物プロファイル内の１次元 ＬＵＴを補正する印刷物プロファイル補正工程と、
前記補正済み印刷物プロファイルをソースプロファイルとして画像及びページレイアウトデータを色変換する色変換工程と、
前記色変換済みを画像及びページレイアウトデータをカラー画像出力装置あるいはカラー画像表示装置に出力する工程と、
を有することを特徴とする印刷物シミュレーション方法。
【請求項２】
請求項１記載の目標濃度特性算出工程が、マレー・デービスの式を適用することによって、ドットゲイン特性から各原値と濃度の関係を求めることを特徴とする印刷物シミュレーション方法。
【請求項３】
請求項１記載の印刷物プロファイル補正工程が、前記印刷物プロファイル内の入力１次元 ＬＵＴの入力値に対応する目標濃度を前記目標濃度特性から算出し、該目標濃度に対応する印刷物上の原色値を前記印刷物濃度特性から算出し、該印刷物上の原色値に対応する前記印刷物プロファイル内の１次元 ＬＵＴの変換値を算出し、該変換値が前記印刷物プロファイル内の入力１次元 ＬＵＴの出力値になるよう前記印刷物プロファイル内の１次元 ＬＵＴを補正することを特徴とする印刷物シミュレーション方法。
【請求項４】
請求項１記載の色変換工程が、前記補正済み印刷物プロファイルをソースプロファイルとし、カラー画像出力装置あるいはカラー画像表示装置のプロファイルをデスティネーションプロファイルとして色変換することを特徴とする印刷物シミュレーション方法。
【発明の詳細な説明】
【技術分野】
【０００１】
本発明は印刷の技術分野に属する。特に、印刷におけるドットゲイン特性を変更したときの再現をコンピュータシステムや校正出力装置を利用してシミュレーションする方法に関する。
【背景技術】
【０００２】
印刷工程では、最終印刷物をシミュレーションした校正出力物をＤＤＣＰ（Direct Digital Color Proofing）で作成して、最終印刷を行う前に依頼主に対して色再現、文字、体裁、等の確認を得ることが行われている。したがって、校正出力物は印刷物における色再現範囲や階調特性を高い精度でシミュレーションする必要性がある。これを実現する方法として、ＩＣＣ（International Color Consortium）プロファイルを利用して、実際の印刷物の色再現に合わせてカラーマッチングしたＤＤＣＰによる校正出力物を得る方法がある。
【０００３】
そのためには、印刷機で刷られたチャートとＤＤＣＰから出力されたチャートに基づいてＩＣＣプロファイルをあらかじめ作成しておかなければならない（図１参照）。このプロファイル作成用のチャートを印刷機で刷るときには、カラーマッチングの目標なることを踏まえて、印刷機の状態を最良にして、各工場での基準の印刷プロセス条件で作成する必要性がある。しかし、その工場における印刷物を代表する、もしくは理想とする印刷物が得られるとは限らない。なぜなら印刷物は、印刷時の温度や湿度、印圧、湿し水の状態、等の影響を受けて変動し易いからである。通常の運用においては、それらの変動を、オペレータの技量で一定の範囲内に収めている。
【０００４】
オペレータの技量で調整困難な印刷物の特性の１つとしてドットゲイン特性がある。印刷時にドットゲイン特性を目的の値となるように徹底的に調整するためには、印刷機におけるブランケット部の頻繁な洗浄、ブランケット部の交換、印圧の調整、湿し水の調整、等の大掛かりな調整を必要とし、大変な労力と費用、時間のロスを生じることとなる。そこで、まずドットゲイン以外で調整が比較的容易なベタ濃度や色再現範囲等の印刷特性を工場の代表的な値に調整して印刷物を作成し、その印刷物を基としてドットゲイン特性を調整し、最適なドットゲインを有する印刷物をシミュレーションする方法が考えられる。
【０００５】
ドットゲイン特性の調整に関係する従来の発明について説明する。たとえば、特定の印刷本紙の測色値の表示と、色変換 ＬＵＴ全体の特定階調５０％での各色ＣＭＹＫの全体ドットゲインの表示と、ＣＭＹＫ画像デタの全入力階調に対するドットゲインのトーンカーブのグラフＣＭＹＫを表すトーンカーブ全体表示とを同時表示するようにした発明がある（特許文献１）。この発明においては、たとえば、トーンカーブ調整用の ＬＵＴを調整した場合の色変換 ＬＵＴ全体の特定階調での全体ドットゲインの表示の変化を確認することで、調整後のトーンカーブ調整用 ＬＵＴを含む色変換 ＬＵＴによる総合的な色変換処理がどのように反映されるのかという見通しが得やすくなる。しかし、ドットゲイン調整値をプロファイルの入力側１次元 ＬＵＴに反映させる方法については記述されていない。また、独自のシステム、独自のプロファイル形式を利用した方法であり、汎用性がない。
【０００６】
また、カラー画像の入出力条件を、画像出力装置の色再現処理方式に対応した複数の色空間デタ変換式からなる基本プロファイルより選択可能とするとともに、基本プロファイルから選択された色空間デタ変換式の変数に対応して、複数のパラメータまたは複数の関係式をサブプロファイルより選択可能とすることにより、入出力条件の設定を容易とする発明がある（特許文献２）。この発明においては、各基本プロファイルまたはサブプロファイルの追加、変更等が可能である。このようにして設定された入出力条件に従い、カラー画像データに対する処理を高精度に行い、再現性の高いカラー画像を得ることができる。しかし、独自形式のプロファイルを使用するため、汎用性がない。複数のプロファイルを組合わせる色変換方式であり複雑である。
【特許文献１】特開２０００１０６６３１
【特許文献２】特開平０７１５４６２３
【発明の開示】
【発明が解決しようとする課題】
【０００７】
本発明は上述した問題を解決するためになされたものである。その目的は、印刷におけるドットゲイン特性を変更したときの再現をシミュレーションするための簡便で汎用性の高いシミュレーション方法を提供することにある。
【課題を解決するための手段】
【０００８】
本発明の請求項１に係るシミュレーション方法は、目標とするドットゲイン特性を指定する工程と、そのドットゲイン特性から原色値と濃度の関係を求める目標濃度特性算出工程と、実際の印刷物を測定し各原色値と濃度の関係を求める印刷物濃度特性算出工程と、前記目標濃度特性と前記印刷物濃度特性に基づいて印刷物プロファイル内の１次元 ＬＵＴを補正する印刷物プロファイル補正工程と、前記補正済み印刷物プロファイルをソースプロファイルとして画像及びページレイアウトデータを色変換する色変換工程と、前記色変換済みを画像及びページレイアウトデータをカラー画像出力装置あるいはカラー画像表示装置に出力する工程を有するようにしたものである。
また本発明の請求項２に係るシミュレーション方法は、請求項１に係る目標濃度特性算出工程において、前記目標濃度特性を得るためにマレー・デービスの式を適用するようにしたものである。
また本発明の請求項３に係るシミュレーション方法は、請求項１に係る印刷物プロファイル補正工程において、前記印刷物プロファイル内の入力１次元 ＬＵＴの入力値に対応する目標濃度を前記目標濃度特性から算出し、該目標濃度に対応する印刷物上の原色値を前記印刷物濃度特性から算出し、該印刷物上の原色値に対応する前記印刷物プロファイル内の１次元 ＬＵＴの変換値を算出し、該変換値が前記印刷物プロファイル内の入力１次元 ＬＵＴの出力値になるよう前記印刷物プロファイル内の１次元 ＬＵＴを補正するようにしたものである。
また本発明の請求項４に係るシミュレーション方法は、請求項１に係る色変換工程において、前記補正済み印刷物プロファイルをソースプロファイルとし、カラー画像出力装置あるいはカラー画像表示装置のプロファイルをデスティネーションプロファイルとして色変換するようにしたものである。
【発明の効果】
【０００９】
本発明の請求項１に係るシミュレーション方法によれば、ドットゲイン特性を設定することにより、そのドットゲイン特性としたときの印刷物における再現をシミュレーションすることができる。しかも、ソースプロファイルにおける入力側一次元 ＬＵＴを調整するだけであるから極めて簡便でありシステムに依存せず汎用性が高い。入力値と濃度値の関係を利用してドットゲインを調整するため専門知識を必要としない。そのため濃度に関する基本知識を有する者であれば利用することができる。色変換にかかわる作業はソースプロファイルを差替えるだけであるから極めて単純で分かり易い。
また本発明の請求項２に係るシミュレーション方法によれば、目標濃度特性を得るためにマレー・デービスの式が適用される。したがって、目標とするドットゲイン特性と、各原色値、濃度を明解に関係付けることができる。
また本発明の請求項３に係るシミュレーション方法によれば、目標とする原色値と濃度、および実際の印刷物における原色値と濃度に基く一連の手続きにより一次元 ＬＵＴが調整され調整済入力側一次元 ＬＵＴが得られる。したがって、調整済入力側一次元 ＬＵＴを得るデータ処理プログラムを容易にルーチン化し汎用化することができる。
また本発明の請求項４に係るシミュレーション方法によれば、カラー画像出力装置あるいはカラー画像表示装置のプロファイルをデスティネーションプロファイルとして色変換することにより、カラー画像出力装置あるいはカラー画像表示装置を用いて印刷物シミュレーション結果を容易に確認することができる。
【発明を実施するための最良の形態】
【００１０】
次に、本発明の実施の形態について図を参照しながら説明する。最初に、本発明を適用した印刷工程の一例（主として、ＤＤＣＰによる校正出力工程）について図１を参照して説明する。図１はＩＣＣプロファイルを使用したＤＤＣＰの色校正物出力のフローを示す説明図である。図１において、１はＤＴＰシステム、２はＰＳファイル、３はＲＩＰ、３１は色変換エンジン、３２はソースプロファイル（印刷プロファイル）、３３はデスティネーションプロファイル（プリンタプロファイル）、４はＤＤＣＰ、５は測色器、６はプロファイル作成ツール、１００は印刷機である。
【００１１】
本発明のシミュレーション方法におけるデータ処理はコンピュータシステムのソフトウェアとハードウェアによって行われる。図１に示す一例においては、図１におけるコンピュータシステムであるＤＴＰシステム１、ＲＩＰ３、プロファイル作成ツール６のいずれか１つまたは複数に、それらの機能と並行して本発明のシミュレーション方法におけるデータ処理機能が組み込まれる。勿論、図１に示す一例とは別個のコンピュータシステムとして本発明のシミュレーション方法を実現することもできる。
【００１２】
ＤＴＰ（Desk Top Publishing）システム１において作成された製版データはＰＳ（Post Script）ファイル形式で保存される。保存されたＰＳファイル２はＤＤＣＰ４において校正出力物を得るためにＲＩＰ３において処理が行われる。ＲＩＰ３における処理の内容は、ＰＳファイル２をラスターイメージデータ（ビットマップ形式のイメージデータ）に変換する処理と、ＩＣＣプロファイルを利用した色変換処理の２つである。この２つの処理を行ったラスターイメージデータがＤＤＣＰ４に出力され、校正出力物が得られる。
【００１３】
図１に示すように、その色変換処理はＲＩＰ３における色変換エンジン３１によって行われる。色変換エンジン３１はソースプロファイル３２とデスティネーションプロファイル３３を参照して色変換処理を行う。
ソースプロファイル３２は印刷機１００におけるＹＭＣＫの入力値（網点％）をデバイス非依存のカラースペースであるＰＣＳ（Profile Connection Space）と呼ばれるＬａｂまたはＸＹＺ色空間の値で置き換えるためのＩＣＣプロファイルである。ソースプロファイル３２は印刷機１００によって印刷して得たカラーチャート（印刷物）を測色器５によって測色して得た測色値に基づいてプロファイル作成ツール６によって作成される。ソースプロファイル３２は入力側一次元 ＬＵＴ、Ｃ ＬＵＴ（Color Look Up Table：多次元 ＬＵＴ）、出力側一次元 ＬＵＴ、マトリックスによって構成される。
【００１４】
デスティネーションプロファイル３３はデバイス非依存のカラースペースであるＰＣＳと呼ばれるＬａｂまたはＸＹＺ色空間の値を入力値としてＤＤＣＰ４におけるＹＭＣＫの出力値に置き換えるためのＩＣＣプロファイルである。デスティネーションプロファイル３３はＤＤＣＰ４によって印刷して得たカラーチャート（ＤＤＣＰ出力物）を測色器５によって測色して得た測色値に基づいてプロファイル作成ツール６によって作成される。デスティネーションプロファイル３３はマトリックス、入力側一次元 ＬＵＴ、Ｃ ＬＵＴ、出力側一次元 ＬＵＴによって構成される。
【００１５】
本発明は上述のソースプロファイル３２における入力側一次元 ＬＵＴを調整することによって印刷におけるドットゲイン特性を変更したときの再現をシミュレーションする方法である。ソースプロファイル３２は、ドットゲインの特性も含めた印刷物の異なる特性ごとに作成する性質のものであり、出力するデータによって適用するプロファイルを変更してカラーマッチング処理をする。すなわち、調整後のソースプロファイルを利用してシミュレーションを行う方法は、調整前のソースプロファイルと差替えて使用すればよいだけである。したがって、図１に示すようなＤＤＣＰの色校正物出力のフロー、等において基幹部（デスティネーションプロファイル３３、等）に手を加えることなく、ＩＣＣプロファイル形式を利用したすべてのシステムで使用できる高い汎用性を有し、通常の出力のフローと同じ作業で容易に実現可能という利点がある。
【００１６】
次に、ソースプロファイル３２における入力側一次元 ＬＵＴを調整する過程について図２〜図１１を参照しながら具体的な事例により説明する。
印刷機において用紙に印刷を行って得られる実際の印刷物におけるＹＭＣＫの入力値（網点％）と濃度の関係、すなわち濃度特性を図２に表として示す。この濃度特性に基づいて、この濃度特性を得た印刷条件におけるドットゲイン特性、すなわち実際の印刷物のドットゲイン特性を導出する。すなわち、まず、図２の表における濃度を下記の数１に示すマレー・デービス（Murray Davies）の式に代入して網点％を演算する。さらに、その濃度から演算した網点％と図２の表におけるその濃度に対応する入力値（網点％）との差を演算することによりドットゲイン（網点％）を導出する。その実際の印刷物のドットゲイン特性を図３に表として示す。また、図３に表として示した実際の印刷物のドットゲイン特性をグラフとして図４に示す。
（数１）
Ｄ  ＝  −ｌｏｇ（１−ａ（１−１０-Ds））
ただし、    ａ    ：    網点面積率
Ｄ    ：    網点面積率ａの濃度
Ｄｓ  ：    ベタ濃度
【００１７】
この実際の印刷物のドットゲイン特性に対して、理想的なドットゲイン特性を設定する。設定した理想的なドットゲイン特性の一例を表として図５に示す。また、図５に表として示した理想的なドットゲイン特性をグラフとして図６に示す。このドットゲイン特性に基づいて、理想的なドットゲインを実現するＹＭＣＫの入力値（網点％）と濃度の関係、すなわち濃度特性を演算する。すなわち、図５の表における入力値（網点％）とドットゲイン（網点％）の和を演算する。さらに、その和、すなわち（入力値＋ドットゲイン）を上記の数１に示すマレー・デービス（Murray Davies）の式に代入して濃度を演算する。これらの演算により得られた理想的なドットゲインを実現する濃度特性を図７に表として示す。
【００１８】
図２に表として示した印刷物の濃度特性をグラフとして示したものが図８である。図２に示した表においては、離散的な入力値（網点％）と濃度の関係が示されているが、図８に示すグラフにおいては、周知の補間法を適用し連続関数として入力値（網点％）と濃度の関係が示されている。図８においてグラフとともに示した関数において、ｘは網点面積率、ｙは濃度である。また、「ｘ３」は「ｘ3」、「ｘ２」は「ｘ2」を意味している。
【００１９】
実際の印刷物において図７に表として示した濃度特性を実現するためにソースプロファイルの入力側一次元 ＬＵＴを調整する。この調整は次の過程により行われる。まず、図７に表として示した目標濃度特性の原色値（入力値）に対応する濃度値を、図８に連続関数として示した実際の印刷物の濃度特性の濃度値に代入して印刷物上の原色値（入力値’）を演算する。この演算により得られた入力値と入力値’との関係を図９に表として示す。
【００２０】
次に、入力値が入力値’となるように、ソースプロファイルのＣＭＹＫの各々の入力側一次元 ＬＵＴを調整する。プロファイルの調整前後における入力側一次元 ＬＵＴの一例を図１０に示す。図１０において、左図の調整前の入力側一次元 ＬＵＴはＣＭＹＫのすべてにおいて傾き１、切片０の線型変換であるため入力値＝変換値である。右図の調整後の入力側一次元 ＬＵＴはＣＭＹＫの各々によって異なっている。すなわち、入力値が変換値’（入力値’）となるように調整されている。
【００２１】
プロファイルによっては、調整前の入力側一次元 ＬＵＴが傾き１、切片０の線型変換でない場合もあるが、調整の考え方は同一である。そのような場合のプロファイル調整の前後における入力側一次元 ＬＵＴの一例を図１１に示す。
まず、図９のように入力値に対する入力値’を算出した後に、調整前の入力側一次元 ＬＵＴの入力値と変換値の関係、すなわち入力側一次元 ＬＵＴ特性から入力値’に対する変換値’を求める。そして入力値が変換値’となるように、ソースプロファイルのＣＭＹＫの各々の入力側一次元 ＬＵＴを調整する。
【００２２】
図１１に示す入力側一次元 ＬＵＴの一例により具体的な説明を行う。図１１では、説明の便宜上、ＣＭＹＫの各々が同一の ＬＵＴとなっている。ドットゲイン調整の計算の結果、図９と同様の表において、入力値＝４０を入力値’＝３０に変更すればよいいことが分かったとする。図１１の左図より、調整前の入力側一次元 ＬＵＴ特性では、入力値＝４０はＲ変換値＝５５に、入力値’＝３０は変換値’＝４４に変換されることが分かる。したがって、入力値＝４０が変換値’＝４４に変換されるように入力側一次元 ＬＵＴを調整する。他の入力値についても、図９の表に示す関係から同様の調整を行うことによって、入力側一次元 ＬＵＴの全データを調整する。
【００２３】
ＩＣＣプロファイルを利用したカラーマッチング方法においては、再現意図によって、使用するタグ（色変換テーブルの集合体）が異なる。ソースプロファイルの場合、Ａ２Ｂ０、Ａ２Ｂ１、Ａ２Ｂ２の３つのタグがある。再現意図が固定のときには、その再現意図で使用されるタグの入力側一次元 ＬＵＴだけを調整すればよい。しかし、再現意図が決まっていないときには、すべてのタグの入力側一次元 ＬＵＴを調整しておく必要がある。
【００２４】
以上説明したように、本発明によればソースプロファイルを調整済入力側一次元 ＬＵＴを有するソースプロファイルに差替えることにより、画像や出力フローの基幹部には手を加えることなく容易にドットゲインを変更した印刷物のシミュレーションを行うことができる。
なお、この実施の形態においてはＤＤＣＰによる校正印刷物のシミュレーションについて説明したが、その説明から明らかなようにソフトプルーフで使用されるモニタを含めたカラー画像を表示する全てのデバイスで同様のシミュレーションを行うことができる。
【図面の簡単な説明】
【００２５】
【図１】ＩＣＣプロファイルを使用したＤＤＣＰの色校正物出力のフローを示す説明図である。
【図２】実際の印刷物の濃度特性を表として示す図である。
【図３】実際の印刷物のドットゲイン特性を表として示す図である。
【図４】実際の印刷物のドットゲイン特性をグラフとして示す図である。
【図５】目標とするドットゲイン特性の一例を表として示す図である。
【図６】目標とするドットゲイン特性をグラフとして示す図である。
【図７】目標とするドットゲインを実現する濃度特性を表として示す図である。
【図８】実際の印刷物の濃度特性をグラフとして示した図である
【図９】実際の印刷物において目標とするドットゲインを実現する濃度特性を実現するための入力値と入力値’との関係を表として示す図である。
【図１０】プロファイル調整の前後における入力側一次元 ＬＵＴ（線型）の一例を示す図である。
【図１１】プロファイル調整の前後における入力側一次元 ＬＵＴ（非線型）の一例を示す図である。
【符号の説明】
【００２６】
１  ＤＴＰシステム
２  ＰＳファイル
３  ＲＩＰ
３１  色変換エンジン
３２  ソースプロファイル（印刷プロファイル）
３３  デスティネーションプロファイル（プリンタプロファイル）
４  ＤＤＣＰ
５  測色器
６  プロファイル作成ツール
１００  印刷機
【図１】
2006128760.tif 000003
【図２】
2006128760.tif 000004
【図３】
2006128760.tif 000005
【図４】
2006128760.tif 000006
【図５】
2006128760.tif 000007
【図６】
2006128760.tif 000008
【図７】
2006128760.tif 000009
【図８】
2006128760.tif 000010
【図９】
2006128760.tif 000011
【図１０】
2006128760.tif 000012
【図１１】
2006128760.tif 000013